(57)【要約】【課題】本発明は、表示側ケースが操作側ケースに対してスライドして展開する際、前記表示側ケースを前記操作側ケースに対して斜めに立ち上がらせるティルティング機構及びこれを用いた携帯式電子装置を提供することを目的とする。【解決手段】本発明に係るティルティング機構は、１つの固定板と、１つの取付板と、前記固定板及び前記取付板を連結する１つの従動ロッドと、前記固定板に枢着される第一回転支持部材と、前記取付板に枢着される第二回転支持部材と、前記第一回転支持部材及び前記第二回転支持部材を一体に連結するヒンジ部材と、を備える。【選択図】図１
2011188472.tif 000002
【特許請求の範囲】
【請求項１】
１つの固定板と、
１つの取付板と、
前記固定板及び前記取付板を連結する１つの従動ロッドと、
前記固定板に枢着される第一回転支持部材と、
前記取付板に枢着される第二回転支持部材と、
前記第一回転支持部材及び前記第二回転支持部材を一体に連結するヒンジ部材と、
を備えることを特徴とするティルティング機構。
【請求項２】
前記ヒンジ部材は、固定部及び前記固定部内に装着され且つ前記固定部に対して回転することができる回転部を含み、
前記第一回転支持部材の一端にはスリーブが設けられており、前記第二回転支持部材には取付筒が設けられており、
前記固定部は、前記第一回転支持部材のスリーブ及び前記第二回転支持部材の取付筒の中の一方に収納されて固定され、前記回転部は、前記第一回転支持部材のスリーブ及び前記第二回転支持部材の取付筒の中の他の一方に収納されて固定されることを特徴とする請求項１に記載のティルティング機構。
【請求項３】
前記第一回転支持部材の他端には、前記固定板の両端に枢着される２つの第一枢着用アームが設けられ、
前記第二回転支持部材は、前記取付筒の片側から延在し且つ前記取付板に枢着される第二枢着用アームをさらに備えることを特徴とする請求項２に記載のティルティング機構。
【請求項４】
操作側ケースと、
前記操作側ケースに重ね合わされる表示側ケースと、
前記表示側ケースに対する前記操作側ケースの開閉を実現するティルティング機構と、  を備えてなる携帯式電子装置であって、
前記ティルティング機構は、１つの固定板と、１つの取付板と、前記固定板及び前記取付板を連結する１つの従動ロッドと、前記固定板に枢着される第一回転支持部材と、前記取付板に枢着される第二回転支持部材と、前記第一回転支持部材及び前記第二回転支持部材を一体に連結するヒンジ部材と、を備えることを特徴とする携帯式電子装置。
【発明の詳細な説明】
【技術分野】
【０００１】
本発明は、ティルティング(ｔｉｌｔｉｎｇ)機構に関し、特に携帯式電子装置に用いられるティルティング機構に関するものである。
【背景技術】
【０００２】
現在市販されている電子装置は、一般的には、相対的に回転するかまたは相対的にスライドできる上筐体及び下筐体を含む。例えば、携帯式電子装置において、前記上筐体を前記下筐体に対してスライドさせることができる。
【発明の概要】
【発明が解決しようとする課題】
【０００３】
従来の携帯式電子装置において、上筐体が下筐体の長手方向に沿ってスライドするので、開けた状態において、前記下筐体のキーボード部及び前記上筐体の表示パネルは全て水平位置に保持され、つまり、前記表示パネルは前記キーボード部に対して所望の傾斜角度を形成することができず、ユーザーが前記表示パネルに表示される画像を閲覧する時に不便さを感じている。
【０００４】
本発明は、上記の問題点に鑑みてなされたものであり、表示側ケースが操作側ケースに対してスライドして展開される際、前記表示側ケースを前記操作側ケースに対して斜めに立ち上がらせるティルティング機構及びこれを用いた携帯式電子装置を提供することを目的とする。
【課題を解決するための手段】
【０００５】
前記問題を解決するために、本発明に係るティルティング機構は、１つの固定板と、１つの取付板と、前記固定板及び前記取付板を連結する１つの従動ロッドと、前記固定板に枢着される第一回転支持部材と、前記取付板に枢着される第二回転支持部材と、前記第一回転支持部材及び前記第二回転支持部材を一体に連結するヒンジ部材と、を備える。
【０００６】
また、本発明に係る携帯式電子装置は、操作側ケースと、前記操作側ケースに重ね合わされる表示側ケースと、前記表示側ケースに対する前記操作側ケースの開閉を実現するティルティング機構と、を備えてなる。前記ティルティング機構は、１つの固定板と、１つの取付板と、前記固定板及び前記取付板を連結する１つの従動ロッドと、前記固定板に枢着される第一回転支持部材と、前記取付板に枢着される第二回転支持部材と、前記第一回転支持部材及び前記第二回転支持部材を一体に連結するヒンジ部材と、を備える。
【発明の効果】
【０００７】
従来の技術に比べて、本発明に係る携帯式電子装置の表示側ケースは、操作側ケースに対してスライドするとともに、ティルティング機構を介して斜めに開かれて、表示側ケースは操作側ケースに対して所定の傾斜角度を有する状態となるので、ユーザーは、表示パネルに表示された情報を閲覧し易くなり、最もよい視覚効果を得られる。
【図面の簡単な説明】
【０００８】
【図１】本発明の実施形態に係る携帯式電子装置の立体分解図である。
【図２】本発明の実施形態に係る携帯式電子装置を別の視点から見た分解図である。
【図３】図１に示した携帯式電子装置のティルティング機構の組立図である。
【図４】図１に示した携帯式電子装置の組立図である。
【図５】図４に示した携帯式電子装置が開いた状態を後方から見た斜視図である。
【発明を実施するための形態】
【０００９】
本発明に係る携帯式電子装置は、携帯電話、個人用携帯情報端末（ＰＤＡ）及びパソコンなどであることができる。本実施形態において、携帯電話を例として説明する。
【００１０】
図１に示したように、本発明の実施形態に係る携帯電話１００は、操作側ケース１０と、表示側ケース２０と、ティルティング機構３０と、複数の回転軸４０と、を備える。前記ティルティング機構３０は、複数の前記回転軸４０を介して前記操作側ケース１０及び前記表示側ケース２０にそれぞれに枢着される。前記表示側ケース２０は、前記ティルティング機構３０を介して前記操作側ケース１０に対して斜めに開けられる。
【００１１】
前記操作側ケース１０の上面１２には、入力操作を行うための複数の押しボタン１２２と、前記ティルティング機構３０を固定するための取付凹所１２４と、前記ティルティング機構３０を収納するための収容凹所１２６と、前記表示側ケース２０の前記操作側ケース１０に対する傾倒を阻止する止め部１２８と、が設けられている。前記押しボタン１２２は、前記操作側ケース１０の長手方向の片側（長手方向に対する左右方向の左側）に設けられる。前記取付凹所１２４、前記収容凹所１２６及び前記止め部１２８は、前記操作側ケース１０の長手方向の他側（長手方向に対する左右方向の右側）に設けられ、且つ前記取付凹所１２４は前記押しボタン１２２と前記収容凹所１２６との間に位置する。
【００１２】
図２に示したように、前記表示側ケース２０の前記操作側ケース１０に対面する表面には、前記ティルティング機構３０を部分的に収納するための収容凹所２２が設けられている。前記表示側ケース２０の前記収容凹所２２に対向する表面には、表示パネル２４が設けられている。
【００１３】
前記ティルティング機構３０は、前記操作側ケース１０に取り付けられる固定板３１と、前記表示側ケース２０に取り付けられる取付板３２と、前記固定板３１に枢着される第一回転支持部材３３と、前記取付板３２に枢着される第二回転支持部材３４と、前記第一回転支持部材３３及び前記第二回転支持部材３４を連結する２つのヒンジ部材３５と、両端はそれぞれ前記固定板３１及び前記取付板３２に枢着される１つの従動ロッド３６と、を備える。
【００１４】
前記固定板３１は、前記操作側ケース１０の取付凹所１２４内に取り付けられる。前記固定板３１の前記表示側ケース２０に対面する表面の長手方向に沿う両端には、それぞれ一対の突出部３１２が設けられている。各突出部３１２には、前記回転軸４０を装着するための軸穴３１２２が設けられ、前記４つの軸穴３１２２が同じ軸線上に位置する。前記固定板３１の一端の一対の突出部３１２に近い箇所には、前記従動ロッド３６の一端を前記固定板３１に枢着するための取付凹所３１４が設けられている。前記取付凹所３１４の対向する２つの側壁には、軸穴３１４２がそれぞれに設けられている。
【００１５】
前記取付板３２の短手方向に沿う両側には、前記第二回転軸部材３４の両端を枢着するための２つの第一貫通溝３２２が設けられている。前記第一貫通溝３２２の対向する２つの側壁には、同じ軸線上に位置する軸穴３２２２がそれぞれに設けられている。前記取付板３２の一端の１つの第一貫通溝３２２に近い箇所には、前記従動ロッド３６の他端を枢着するための第二貫通溝３２４が設けられている。前記第二貫通溝３２４の対向する２つの側壁には、同じ軸線上に位置する軸穴３２４２がそれぞれに設けられている。
【００１６】
前記第一回転支持部材３３の一端には円柱状のスリーブ３３２が設けられ、前記第一回転支持部材３３の他端には２つの第一枢着用アーム３３４が互いに離間して設けられる。各第一枢着用アーム３３４には、軸穴３３４２が設けられている。
【００１７】
前記第二回転支持部材３４は、レバー部３４４と、前記レバー部３４４の両端に位置する２つの取付筒３４２と、前記２つの取付筒３４２の同じ側から略「八」字状に延在する２つの第二枢着用アーム３４６と、を備える。各第二枢着用アーム３４６の端部には、軸穴３４６２が設けられている。前記２つの軸穴３４６２は同軸に設置される。
【００１８】
前記ヒンジ部材３５は、固定部３５２、前記固定部３５２内に装着され且つ前記固定部３５２に対して回転可能な回転部３５４及び前記固定部３５２と前記回転部３５４との間に設置される弾性部材のような駆動部（図示せず）を備える。前記固定部３５２は前記第二回転支持部材３４の取付筒３４２内に装着され、前記回転部３５４は前記第一回転支持部材３３のスリーブ３３２内に装着される。
【００１９】
前記従動ロッド３６の両端には、それぞれ１つの軸筒３６２が設けられ、前記２つの軸筒３６２は互いに平行する。
【００２０】
以下、本発明の携帯電話１００の組立ステップについて詳細に説明する。
【００２１】
まず、前記第一回転支持部材３３のスリーブ３３２を前記第二回転支持部材３４の２つの取付筒３４２の間に設置し、前記第二回転支持部材３４の取付筒３４２と前記第一回転支持部材３３のスリーブ３３２との位置を合わせる。ついで、前記ヒンジ部材３５の固定部３５２を前記第二回転支持部材３４の取付筒３４２内に収納すると共に、前記ヒンジ部材３５の回転部３５４を前記第一回転支持部材３３のスリーブ３３２内に収納する。ついで、前記第一回転支持部材３３の２つの第一枢着用アーム３３４を別々に前記固定板３１の両端の２つの突出部３１２の間に設置して、前記第一枢着用アーム３３４の軸穴３３４２と前記突出部３１２の軸穴３１２２との位置を合わせてから、前記軸穴３１２２及び前記軸穴３３４２内に回転軸４０を順次に挿入して、前記第一回転支持部材３３を前記固定板３１に枢着する。続いて前記従動ロッド３６の一端を前記固定板３１の取付凹所３１４内に設置してから、前記回転軸４０を前記取付凹所３１４の軸穴３１４２及び前記軸筒３６２内に順次に挿入して、前記従動ロッド３６の一端を前記固定板３１に枢着する。
【００２２】
次に、前記第二回転支持部材３４の２つの第二枢着用アーム３４６の端部をそれぞれ前記取付板３２の２つの第一貫通溝３２２内に設置してから、前記取付板３２の軸穴３２２２及び前記第二回転支持部材３４の軸穴３４６２内に回転軸４０を順次に挿入して、前記第二回転支持部材３４を前記取付板３２に枢着する。この際、前記第一回転支持部材３３は２つの前記第二枢着用アーム３４６の間に位置する。前記従動ロッド３６の他端を前記取付板３２の第二貫通溝３２４内に設置してから、前記取付板３２の軸穴３２４２及び前記従動ロッド３６の軸筒３６２に回転軸４０を挿入して、前記従動ロッド３６の他端を前記取付板３２に枢着する。
【００２３】
最後に、前記固定板３１を前記操作側ケース１０の取付凹所１２４上に覆って、ねじで前記固定板３１を前記操作側ケース１０に螺合する。同様にして、ねじで前記取付板３２を前記表示側ケース２０の収容凹所２２に螺合する。これで、前記携帯電話１００の組立を完成する。
【００２４】
図５を参照すると、前記携帯電話１００を開ける場合、前記表示側ケース２０の前記押しボタン１２２に近い一端を前記操作側ケース１０の短手方向に沿って推進させると、前記従動ロッド３６の両端はそれぞれ前記取付凹所３１４内の回転軸４０及び前記第二貫通溝３２４内の回転軸４０に対して回転すると共に、斜めに立ち上がるため、前記第二回転支持部材３４は、前記第一回転支持部材３３に対して回転すると共に、前記第一回転支持部材３３は前記第二回転支持部材３４に連動されて前記操作側ケース１０に対して少し斜めに立ち上がる。この過程において、前記第一回転支持部材３３のスリーブ３３２内に装着された前記回転部３５４は、前記第二回転支持部材３４の取付筒３４２に装着された固定部３５２に対して回転する。
【００２５】
前記ヒンジ部材３５の回転部３５４は前記固定部３５２に対して所定の回転位置を有し、前記回転部３５４が前記所定の回転位置を越えると、前記回転部３５４は前記弾性部材に駆動されて前記固定部３５２に対して自発的に回転する。即ち、引き続き前記表示側ケース２０を推進して、前記回転部３５４が前記所定の位置を越えると、前記第二回転支持部材３４は前記第一回転支持部材３３に対して自発的に展開すると共に、前記従動ロッド３６を連動して前記操作側ケース１０に対して回転する。前記表示側ケース２０の前記操作側ケース１０に接触する一端は、前記操作側ケース１０の止め部１２８に当止されると、前記携帯電話１００は完全に斜めに開けられて、ユーザーに所望の視覚角度を与える。
【００２６】
また、前記表示側ケース２０と前記取付板３２とを一体に成型してもよい。同様にして、前記操作側ケース１０と前記固定板３１とを一体に成型してもよい。
【００２７】
また、前記第二回転支持部材３４の取付筒３４２及び前記ヒンジ部材３５の数量は２つの限定されるものではなく、１つだけ設けても前記表示側ケース２０を前記操作側ケース１０に対して斜めに立ち上がることができる。
【００２８】
また、前記ヒンジ部材３５の固定部３５２を前記第一回転支持部材３３のスリーブ３３２内に収納すると共に、前記ヒンジ部材３５の回転部３５４を前記第二回転支持部材３４の取付筒３４２内に収納することもできる。
【００２９】
本発明によれば、前記ティルティング機構３０は、ヒンジ部材３５により枢着する第一回転支持部材３３及び第二回転支持部材３４と、従動ロッド３６とを備える。前記表示側ケース２０は、前記ティルティング機構３０により前記操作側ケース１０に対して斜めに立ち上がることができる。
【００３０】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００３１】
１０        操作側ケース
１２        上面
２０        表示側ケース
２２        収容凹所
２４        表示パネル
３０        ティルティング機構
３１        固定板
３２        取付板
３３        第一回転支持部材
３４        第二回転支持部材
３５        ヒンジ部材
３６        従動ロッド
４０        回転軸
１００      携帯電話
１２２      押しボタン
１２４      取付凹所
１２６      収容凹所
１２８      止め部
３１２      突出部
３１４      取付凹所
３２２      第一貫通溝
３２４      第二貫通溝
３３２      スリーブ
３３４      第一枢着用アーム
３４２      取付筒
３４４      レバー部
３４６      第二枢着用アーム
３５２      固定部
３５４      回転部
３６２      軸筒
３１２２    軸穴
３１４２    軸穴
３２２２    軸穴
３２４２    軸穴
３３４２    軸穴
３４６２    軸穴
【図１】
2011188472.tif 000003
【図２】
2011188472.tif 000004
【図３】
2011188472.tif 000005
【図４】
2011188472.tif 000006
【図５】
2011188472.tif 000007